(57)【要約】【課題】携帯型の情報機器は、物理的制約により小さなディスプレイしか備えることができず、利用者が情報の閲覧を効率良く行えないなどの課題がある。この課題を解決するために、送信側の操作によって、受信側に適した情報配信を受信側に送信するものが提案されているが、送信側の装置の負荷が増大するという問題があった。【解決手段】送信部３は、配信情報データベース１と表示情報データベース２とに蓄積された配信情報とパラメータの候補をＰＤＡ１０２に送信する。受信部４は、サーバ計算機１０１から送信された配信情報とパラメータの候補を受信し、選択部５は、受信しるパラメータの候補の中からＰＤＡ１０２の種類や情報の閲覧条件などに基づいてパラメータを選択し、情報表示部７は、受信しる配信情報を、選択したパラメータによって定められる方法で利用者に提示する。【選択図】        図１
2004362021.tif 000002
【特許請求の範囲】
【請求項１】
送信装置から配信される配信情報とともに、配信情報を表示する、識別情報を含んだ複数の表示情報を送信装置から受信する受信部と、
上記受信部が受信した表示情報毎に含まれる識別情報に基づいて各表示情報を識別し、識別した各表示情報から、受信した配信情報を表示する表示情報を選択する選択部と、
上記選択部が選択した表示情報にしたがって、上記受信した配信情報を表示する情報表示部とを備えた受信装置。
【請求項２】
送信装置から配信される配信情報とともに、配信情報を表示する、識別情報を含んだ複数の表示情報を送信装置から受信する受信部と、
上記受信部が受信した表示情報毎に含まれる識別情報に基づいて各表示情報を識別し、識別した各表示情報から、受信した配信情報を表示する表示情報を選択する選択部と、
上記選択部が選択した表示情報を記憶するメモリと、
上記メモリが記憶した表示情報にしたがって、上記受信した配信情報を表示する情報表示部とを備えた受信装置。
【請求項３】
送信装置から配信される配信情報とともに、配信情報の表示条件を複数、送信装置から受信する受信部と、
上記受信部が受信した複数の表示条件から、受信した配信情報を表示する条件として任意の表示条件を取得する条件取得部と、
配信情報の表示環境を示す特性情報を取得する特性取得部と、
上記特性取得部が取得した特性情報と上記条件取得部が取得した表示条件とから配信情報の表示情報を算出する算出部と、
上記算出した表示情報にしたがって、上記受信した配信情報を表示する情報表示部とを備える受信装置。
【請求項４】
上記特性取得部は、利用者に関する特性であるユーザ特性と受信装置に関する特性である機器特性と受信装置の使用環境に関する特性である環境特性との少なくともいずれかを特性情報として取得する請求項３に記載された受信装置。
【請求項５】
上記条件取得部は、数式を表示条件として取得し、
上記算出部は、上記条件取得部が取得した数式に上記特性取得部が取得した特性情報を代入することによって表示情報を算出する請求項４に記載された受信装置。
【請求項６】
送信装置から配信される配信情報とともに、配信情報を表示する、識別情報を含んだ複数の表示情報を送信装置から受信し、
上記受信した表示情報毎に含まれる識別情報に基づいて各表示情報を識別し、識別した各表示情報から、受信した配信情報を表示する表示情報を選択し、選択した表示情報にしたがって、受信した配信情報を表示する受信方法。
【請求項７】
送信装置から配信される配信情報とともに、配信情報の表示条件を複数、送信装置から受信し、
上記受信した複数の表示条件から、受信した配信情報を表示する条件として任意の表示条件を取得し、
配信情報の表示環境を示す特性情報を取得し、
上記取得した特性情報と上記取得した表示条件とから配信情報の表示情報を算出し、算出した表示情報にしたがって、受信した配信情報を表示する受信方法。
【請求項８】
送信装置から受信装置へ配信情報を送信する情報配信システムであって、
送信装置は、
配信対象である配信情報を記憶する配信情報記憶部と、
識別情報を含んだ表示情報を複数記憶する表示情報記憶部と、
上記配信情報記憶部が記憶した配信情報と上記表示情報記憶部が記憶した複数の表示情報とを送信する送信部とを備え、
受信装置は、
上記送信部が送信した配信情報と複数の表示情報とを受信する受信部と、
上記受信部が受信した表示情報毎に含まれる識別情報に基づいて各表示情報を識別し、識別した各表示情報から、受信した配信情報を表示する表示情報を選択する選択部と、
上記選択部が選択した表示情報にしたがって、上記受信した配信情報を表示する情報表示部とを備えた情報配信システム。
【請求項９】
送信装置から受信装置へ配信情報を送信する情報配信システムであって、
送信装置は、
配信対象である配信情報を記憶する配信情報記憶部と、
配信情報を表示する表示条件を複数記憶する表示条件記憶部と、
上記配信情報記憶部が記憶した配信情報と上記表示条件記憶部が記憶した複数の表示条件とを送信する送信部とを備え、
受信装置は、
上記送信部が送信した配信情報とともに、複数の表示条件を送信装置から受信する受信部と、
上記受信部が受信した複数の表示条件から、受信した配信情報を表示する条件として任意の表示条件を取得する条件取得部と、
配信情報の表示環境を示す特性情報を取得する特性取得部と、
上記特性取得部が取得した特性情報と上記条件取得部が取得した表示条件とから配信情報の表示情報を算出する算出部と、
上記算出した表示情報にしたがって、上記受信した配信情報を表示する情報表示部とを備える情報配信システム。
【請求項１０】
送信装置から受信装置へ配信情報を送信する情報配信プログラムであって、
配信対象である配信情報を配信情報記憶部に記憶する処理と、
識別情報を含んだ表示情報を表示情報記憶部に複数記憶する処理と、
上記配信情報記憶部が記憶した配信情報と上記表示情報記憶部が記憶した複数の表示情報とを送信装置から受信装置へ送信する処理と、
上記送信装置から送信された配信情報と複数の表示情報とを受信する処理と、
上記受信した表示情報毎に含まれる識別情報に基づいて各表示情報を識別し、識別した各表示情報から、受信した配信情報を表示する表示情報を選択する処理と、
上記選択した表示情報にしたがって、上記受信した配信情報を表示する処理とをコンピュータに実行させる情報配信プログラム。
【請求項１１】
送信装置から受信装置へ配信情報を送信する情報配信プログラムであって、
配信対象である配信情報を配信情報記憶部に記憶する処理と、
配信情報を表示する表示条件を表示条件記憶部に複数記憶する処理と、
上記配信情報記憶部が記憶した配信情報と上記表示条件記憶部が記憶した複数の表示条件とを送信装置から受信装置へ送信する処理と、
上記送信装置から送信された配信情報とともに、複数の表示条件を受信する処理と、
上記受信した複数の表示条件から受信した配信情報を表示する条件として任意の表示条件を取得処理と、
配信情報の表示環境を示す特性情報を取得する処理と、
上記取得した特性情報と表示条件とから配信情報の表示情報を算出する処理と、
上記算出した表示情報にしたがって、上記受信した配信情報を表示する処理とをコンピュータに実行させる情報配信プログラム。
【発明の詳細な説明】
【０００１】
【発明の属する技術分野】
この発明は、利用者がＰＤＡ（Ｐｅｒｓｏｎａｌ  Ｄｉｇｉｔａｌ  Ａｓｓｉｓｔａｎｔ）や携帯電話などの携帯情報機器を使い、ビデオやインターネットサイトなどの閲覧を行う情報配信サービスに関するものである。
【０００２】
【従来の技術】
近年、電子情報デバイスの小型化／軽量化が進み、ノート型パーソナルコンピュータ（以下、パソコンという。）や携帯情報機器などを利用し、屋外でビデオやインターネットサイトなどの閲覧が広く行われるようになった。
しかし、このような携帯型の情報機器は、物理的制約により小さなディスプレイしか備えることができず、利用者が情報の閲覧を効率良く行えないなどの問題があった。
【０００３】
この問題を解決しようとする従来技術としては、例えば、特開２００２−２２２１４１号公報「表示形式変更ファイル配信システム及び方法」において、情報機器の表示性能や閲覧者の状況に応じて、情報の表示形式を変更する技術が開示されている。上記文献では、まず、送信側が表示形式を選択するための情報を受信装置へ送信する。次に、利用者がこれに基づいて適当な表示形式を選択して送信側に伝えることにより、送信側は利用者の希望に合致した表示形式で情報の配信を行う技術が開示されている。
【０００４】
また、特開２００２−３１２２８０号公報「出力装置に応じたコンテンツの生成」では、受信装置の種別を送信側が取得し、これに応じて情報の形式を変換して配信する技術が開示されている。
【０００５】
さらに、特開２００２−８２８６１号公報「映像配信方法、映像配信装置および画像配信システム」では、圧縮フォーマットや画像サイズを利用者が指定し、それに基づいて受信装置への画像の配信を行う技術が開示されている。
【０００６】
この他に関連する従来技術として、例えば「北山文彦，広瀬紳一：“Ｄｈａｒｍａ  さまざまなインターネット端末にコンテンツを適応させるソフトウェア技術”，情報処理学会学会誌，Ｖｏｌ．４２，Ｎｏ．６，ｐｐ．５７６−５８１（２００１）」では、インターネット端末であるパーソナルコンピュータの画面サイズや通信能力などに応じて、Ｗｅｂ上のコンテンツを表示する技術について述べている。
【０００７】
また、情報の配信側において受信装置の能力に応じて情報の表示を行う仕組みについては、国際標準化団体であるＷ３Ｃ  （Ｗｏｒｌｄ  Ｗｉｄｅ  Ｗｅｂ  Ｃｏｎｓｏｒｔｉｕｍ）が標準化に取り組んでいる（ｈｔｔｐ：／／ｗｗｗ．ｗ３．ｏｒｇ／Ｍｏｂｉｌｅ／ＣＣＰＰ／）。
【０００８】
【特許文献１】
特開２００２−２２２１４１号公報
【特許文献２】
特開２００２−３１２２８０号公報
【特許文献３】
特開２００２−８２８６１号公報
【非特許文献４】
北山文彦，広瀬紳一著「Ｄｈａｒｍａ  さまざまなインターネット端末にコンテンツを適応させるソフトウェア技術」情報処理学会学会誌，Ｖｏｌ．４２，Ｎｏ．６，ｐｐ．５７６−５８１（２００１）
【０００９】
【発明が解決しようとする課題】
従来技術はいずれも、受信装置の種類や利用者の選択などに基づいて、送信側が配信する情報を表示することにより、受信側に適した情報配信を可能とするものである。
しかしながら、この方法では利用者数が増えるに従い送信側の装置の負荷が増大するという問題があった。
また、送信側は受信装置の情報を得るため双方向の通信が必要となり、従来のテレビ放送のようなブロードキャスト型の情報配信システムには適用できないという問題があった。
【００１０】
本発明は上記のような問題を解決するためになされたもので、パラメータによって情報の提示方法を変更する仕組みを受信装置に持たせるとともに、受信装置の種類や情報の閲覧状況などに応じた適切な情報の提示方法を定めるパラメータとともに送信装置から情報を配信し、さらに受信装置が適切なパラメータを選択して情報の提示を行うようにすることにより、送信装置における情報の表示負荷を抑えることを目的としている。
【００１１】
あるいは、ブロードキャスト型の情報配信システムにおいても、受信装置の種類や情報の閲覧状況などに応じた情報提示を可能とすることを目的としている。
【００１２】
【課題を解決するための手段】
本発明に係る受信装置は、送信装置から配信される配信情報とともに、配信情報を表示する、識別情報を含んだ複数の表示情報を送信装置から受信する受信部と、
上記受信部が受信した表示情報毎に含まれる識別情報に基づいて各表示情報を識別し、識別した各表示情報から、受信した配信情報を表示する表示情報を選択する選択部と、
上記選択部が選択した表示情報にしたがって、上記受信した配信情報を表示する情報表示部とを備える。
【００１３】
【発明の実施の形態】
以下、図を用いてこの発明に係る情報配信システムの実施の形態を説明する。
【００１４】
実施の形態１．
図１は、この発明の実施の形態１による情報配信システム１０００の構成を示す図である。
この情報配信システム１０００は、送信装置に相当するサーバ計算機１０１と、受信装置に相当するＰＤＡ１０２から構成され、サーバ計算機１０１からＰＤＡ１０２へ配信情報を配信するシステムである。
【００１５】
サーバ計算機１０１は配信情報データべース１と表示情報データベース２と送信部３とから構成される。
配信情報データベース１には配信対象である情報（配信情報）が蓄積されている。
表示情報データベース２にはＰＤＡ１０２で用いるパラメータの候補が蓄積されている。表示情報データベース２に記憶したパラメータは配信情報を表示する表示情報の一例である。
配信情報データベース１と表示情報データベース２を構築する一例としては、記憶ディスクが挙げられる。
送信部３は、配信情報データベース１が記憶した配信情報と表示情報データベース２が記憶した複数のパラメータ情報とをＰＤＡ１０２へ送信するサブシステムである。
【００１６】
ＰＤＡ１０２は、配信情報とパラメータ情報とを受信する受信部４と、受信した複数のパラメータ情報から、受信する配信情報を表示する表示情報であるパラメータ情報を選択する選択部５と、配信情報をパラメータ情報にしたがって表示する情報表示部７と、選択部５が選択したパラメータ情報を記憶するメモリ６とから構成される。
受信部４はサーバ計算機１０１から配信された配信情報と複数のパラメータ情報とを受信するサブシステムである。
選択部５は、受信部４が受信したパラメータの候補の中から、例えば、押しボタン９を用いることによってパラメータを選択する部である。パラメータを選択する具体例としては、受信したパラメータ情報毎に含まれる識別情報に基づいて、利用者が各パラメータ情報がどんな環境に適した表示内容であるかを識別し、識別した各パラメータ情報から、受信した配信情報を表示するパラメータ情報を押しボタン９を押すことによって選択する方法が挙げられる。
メモリ６は、選択部５が選択したパラメータを記憶するパラメータ記憶領域である。
情報表示部７は、メモリ６に記憶されたパラメータで定められる方法によって、受信部４が受信した配信情報をディスプレイ８に表示する部である。
【００１７】
情報表示部７は、メモリ６に記憶したパラメータ情報を用いず、選択部５が選択したパラメータ情報にしたがって、受信した配信情報を表示することもできる。
また、選択部５と情報表示部７とは、例えば、各々の動作内容を記述したプログラムを実行することによって各動作を行うことができる。
【００１８】
ここでは、はじめに、説明に使用する配信情報とパラメータの例について説明し、次に全体の動作について説明し、最後に表示情報データベース２に蓄積するパラメータを求める方法について説明する。
【００１９】
はじめに、説明に使用する配信対象の情報とパラメータの例について説明する。図２は、配信対象の情報として想定した地図を例示するものである。この地図は、道路と建物を示す多角形と、建物の属性を示すテキストからなる。
受信装置において、この地図を表示する際には、道路の表示色（以下、道路色２０と呼ぶ。）、テキストの文字サイズ２１、表示の縮尺２２を指定できるものとする。
なお、道路色２０については「０」を指定した場合に白色、「２５５」を指定した場合に黒色、「１」から「２５４」までの整数値を指定した場合は灰色（値に基づいて線形に濃淡付けした色）で表示するものとする。また、テキストの文字サイズ２１についてはポイントを単位として、「１０」から「１４」までの整数値を指定できるものとする。また、縮尺２２についてはメートルを単位として、ディスプレイ８に表示するエリアの縦の長さが実際の何メートルに相当するかによって指定できるものとする。
また、道路色２０、文字サイズ２１、縮尺２２は、配信情報を表示する表示条件であるパラメータ情報の一例であり、例えば道路色２０を「３００」、文字サイズ２１を「１２」、縮尺２２を「２００」と定めるとき、パラメータＰ＝（Ｐ１，Ｐ２，Ｐ３）＝（３００，１２，２００）と書くものとする。
【００２０】
図３は、ＰＤＡ１０２において用いられるパラメータの候補（表示情報）を例示するものである。ここでは、前述の通り道路色２０、文字サイズ２１、縮尺２２をパラメータの例としている。
また、図３には複数の表示情報（表示情報Ａ〜表示情報Ｄ）を例示している。各表示情報は、パラメータ候補名２３と各パラメータ（道路色２０、文字サイズ２１、縮尺２２）を含んでいる。パラメータ候補名２３は各表示情報を識別する識別情報の一例であり、各表示情報に固有な情報を持っている。ここでは、パラメータ候補名２３を用いて、各々の表示情報がどんな環境での表示に適しているかを識別することができる。
【００２１】
これらのパラメータの候補（表示情報Ａ〜表示情報Ｄ）は、表示情報データベース２に記憶されているものとする。図３の例では、パラメータ候補名２３として、パソコンを一般ユーザが屋内で使用する場合、ＰＤＡを一般ユーザが屋外で使用する場合、ＰＤＡを高齢者が屋外で使用する場合、携帯電話を高齢者が屋内で使用する場合のパラメータが示されている。つまり、ここでは、「パソコン／一般／屋内」では（６４，１０，３００）、「ＰＤＡ／一般／屋外」では（１２７，１０，２５０）、「ＰＤＡ／高齢者／屋外」では（２３７，１３，２３３）、「携帯電話／高齢者／屋内」では（１２７，１４，１５０）で表示した場合には、それぞれの条件において適切な表示となるように各パラメータ（道路色２０、文字サイズ２１、縮尺２２）が設定されていることがわかっているものとする。
【００２２】
以下、実施の形態１に係る情報配信システム１０００の動作について、図４のフローチャートを用いながら説明する。
サーバ計算機１０１の配信情報データベース１には、前述の通り、図２に例示した地図情報が記憶されている。また、表示情報データベース２には、前述の通り、図３に例示したパラメータの候補（表示情報）が記憶されている。
【００２３】
まず、送信部３は、配信情報データベース１に記憶されている地図情報（配信情報）と、表示情報データベース２に記憶されているパラメータの候補（表示情報）をＰＤＡ１０２へ送信する（Ｓ１０）。
ＰＤＡ１０２の受信部４は、サーバ計算機１０１から送られてきたデータを受信する（Ｓ２０）。
選択部５は、受信部４が受信したパラメータの候補（表示情報）を１つずつ順次ディスプレイ８に表示する（Ｓ２１）。
さらに、選択部５は、利用者による押しボタン９の操作に基づいて、パラメータの候補（表示情報）の選択を行う（Ｓ２２）。
選択された表示情報に含まれるパラメータはメモリ６に記憶される（Ｓ２３）。
ここで、例えば利用者が高齢であって、ＰＤＡを屋外で使用することを想定している場合、利用者は「ＰＤＡ／高齢者／屋外」のパラメータ候補名２３をもつ表示情報Ｃを選択し、表示情報に含まれるパラメータ＝（２３７，１３，２３３）がメモリ６に記憶される。
最後に、情報表示部７は、受信部４が受信した地図情報を、メモリ６に記憶されたパラメータの内容に従って、道路色２０を「２３７」、文字サイズ２１を「１３」ポイント、縮尺２２を「２３３」メートルでディスプレイ８に表示する（Ｓ２４）。
ディスプレイ８に表示された地図を図５に示す。
【００２４】
なお、選択された表示情報をメモリ６に記憶するステップ（Ｓ２３）を省略し、Ｓ２２において表示情報が選択された場合には、選択された表示情報をメモリ６に記憶することなく、直ちに、選択された表示情報のパラメータに基づいて地図情報を表示するステップ（Ｓ２４）を実行してもよい。
【００２５】
以下、図３に例示したような、各情報提示条件において適切な表示を行うためのパラメータを算出する方法の例について説明する。
【００２６】
第１に、諸定義について述べる。
ユーザの年齢／身体機能などの情報に対する受容の特性をユーザ特性と呼び、記号Ｃで表す。また、使用する情報機器の画面サイズなどの特性を機器特性と呼び、記号Ａで表す。また、情報機器を使用する環境（屋内／屋外、照明の状態など）を環境特性と呼び、記号Ｅで表す。以上３つの要因からなる三項組（Ｃ，Ａ，Ｅ）をユーザ環境Ｕと定義する。
利用者へ提供する複数の配信情報Ｓ１，Ｓ２，．．．，Ｓｎを想定する。これらをまとめて情報ソースと呼び、記号Ｓ＝｛Ｓ１，Ｓ２，．．．，Ｓｎ｝で表す。また、情報機器の動作を決定するパラメータをＰ＝（Ｐ１，Ｐ２，．．．，Ｐｍ）で表す。
以上をまとめ、ユーザ環境Ｕにおいて機能パラメータＰで定められた情報機器を介して情報ソースＳを受容する仕組みを、情報機器インタフェースＩと定義する。さらに、情報機器インタフェースＩの評価を、ｏ個の評価指標｛Ｗ１，Ｗ２，．．．，Ｗｏ｝によって行うものとし、情報ユニットＳｉに基づく提示をこれらの評価指標によって評価したものを、Ｑｉ＝（ｗｉ１，ｗｉ２，．．．，ｗｉｏ）で表す。ｗｉｊは、情報ユニットＳｉを評価指標Ｗｊで評価したときの値である。情報ユニットＳ１〜Ｓｎのすべてに対する評価をＱ＝｛Ｑ１，Ｑ２，．．．，Ｑｎ｝で表す。また、目標とする評価を定めるものとし、Ｑｓ＝｛Ｑｓ１，Ｑｓ２，．．．，Ｑｓｎ｝で表す。
【００２７】
第２に、パラメータを算出する手続きについて述べる。
図６は、パラメータを算出する方法の一例を示すフローチャートである。
ステップ１では、配信対象の情報として、情報ソースＳ＝｛Ｓ１，Ｓ２，．．．，Ｓｎ｝を定める。
ステップ２では、情報を閲覧する条件として、ユーザ環境Ｕを定める。
ステップ３では、受信装置で用いるパラメータＰを定める。
ステップ４では、情報の閲覧を評価する指標として評価指標Ｗ＝｛Ｗ１，Ｗ２，．．．，Ｗｏ｝を定める。
ステップ５では、情報の閲覧において目標とする評価値（目標評価値）Ｑｓを定める。
ステップ６では、互いに異なるパラメータ｛Ｐ１，Ｐ２，．．．，Ｐｑ｝（以下、パラメータサンプルと呼ぶ）を定める。
ステップ７では、各パラメータにおける目標評価値｛Ｑ１，Ｑ２，．．．，Ｑｑ｝を、被験者を用いて測定する。
ステップ８では、パラメータサンプル｛Ｐ１，Ｐ２，．．．，Ｐｑ｝と目標評価値｛Ｑ１，Ｑ２，．．．，Ｑｑ｝に対し、パラメータＰ１，Ｐ２，．．．，Ｐｍを説明変数、目標評価値ｗｉｊを目的変数とした重回帰分析を行う。これにより、ある機能パラメータＰを定めたときに、ユーザに提示した情報Ｓｉを評価指標Ｗｊで評価したときの予測評価値ｗｆ（Ｐ）ｉｊが次式（１）の通り得られる。
通り得られる。
【００２８】
【数１】
2004362021.tif 000003
【００２９】
ステップ９では、式（２）で表す目標評価値Ｑｓと予測評価値Ｑｆ（Ｐ）の誤差Ｆが最小となるときのパラメータＰ１，Ｐ２，．．．，Ｐｍを定める。これは準ニュートン法などを用いて求めることができる。
【００３０】
【数２】
2004362021.tif 000004
【００３１】
第３に、上述の手続きに沿って、具体的なパラメータの値を求める例について述べる。
ステップ１として、例えばｎ＝２とし、情報ソースＳ＝｛Ｓ１，Ｓ２｝においてＳ１を図７に例示した地図（以下、地図Ａと呼ぶ）、Ｓ２を図８に例示した地図（以下、地図Ｂと呼ぶ）を定める。
ステップ２として、ユーザ環境Ｕを「高齢者がＰＤＡを屋外で使用する」と定める。
ステップ３として、例えばｍ＝３とし、パラメータＰ＝（Ｐ１，Ｐ２，Ｐ３）において、Ｐ１を道路色２０、Ｐ２を文字サイズ２１、Ｐ３を縮尺２２と定める。
ステップ４として、例えばｏ＝２とし、評価指標｛Ｗ１，Ｗ２｝において、Ｗ１を地図上において利用者が自分の現在位置を特定するのに要する時間（ここでは位置特定時間と呼び、単位は秒とする）、Ｗ２を利用者が地図上の目的地への到達に要する時間（ここでは到達所要時間と呼び、単位は分とする）と定める。
ステップ５として、一般の利用者がＰＤＡを屋外で使用する場合を想定し、このときの目標評価値Ｑｓを定める。ここで、ｎ＝２であるので、Ｑｓ＝｛Ｑｓ１，Ｑｓ２｝、Ｑｓ１＝（ｗｓ１１，ｗｓ１２）、Ｑｓ２＝（ｗｓ２１，ｗｓ２２）であり、ｗｓ１１は地図Ａについての位置特定時間２５ａ、ｗｓ１２は地図Ａについての到達所要時間２６ａ、ｗｓ２１は地図Ｂについての位置特定時間２５ｂ、ｗｓ２２は地図Ｂについての到達所要時間２６ｂとなる。
【００３２】
定めたＱｓを図９に示す。
これは、例えば一般の被験者がＰＤＡ１０２を屋外で使用した際に測定した地図Ａおよび地図Ｂについての位置特定時間と到達所要時間の平均値である。
ステップ６として、互いに異なるパラメータの組を定める。ここで、ｑ＝８とし、図１０に示すようにパラメータサンプルＰ１，Ｐ２，．．．，Ｐ８を定める。ステップ７として、各パラメータにおける目標評価値｛Ｑ１，Ｑ２，．．．，Ｑ８｝を得る。これは、高齢の被験者がＰＤＡ１０２を屋外で使用する条件下で、地図Ａおよび地図Ｂについての位置特定時間と到達所要時間を測定することによって得る。この結果、図１１に示すような結果が得られたものとする。
ステップ８として、パラメータを説明変数とし、測定の結果を従属変数とする重回帰分析を行う。この結果を図１２に示す。
ステップ９として、式（２）で表す目標評価値Ｑｓと予測評価値Ｑｆ（Ｐ）の誤差Ｆが最小となるときのパラメータＰ１，Ｐ２，Ｐ３を求める。
この結果、図１３に示すようなパラメータ（２３７，１３，２３３）が得られる。
最後に、情報表示部７は、受信部４が受信した地図情報を、メモリ６の記憶内容に従って、道路色２０を「２３７」、文字サイズ２１を「１３」ポイント、縮尺２２を「２３３」メートルに表示して、ディスプレイ８に表示する。
【００３３】
なお、上述の方法に基づいて、パラメータを算出する別の例は、文献「前原秀明，臼井澄夫，鎌田一雄：“歩行者ナビゲーションを目的とした３次元地図表示の視認性改善”，映像情報メディア学会論文誌，Ｖｏｌ．５６，Ｎｏ．１１，ｐｐ．５８−６３，２００２」において述べられている。
【００３４】
以上のように、この実施の形態の情報配信システム１０００によれば、送信装置（サーバ計算機１０１）において、配信対象である情報（配信情報）を蓄積または生成する配信情報データベース１と、受信装置（ＰＤＡ１０２）で用いるパラメータの候補（表示情報）を蓄積する表示情報データベース２と、配信情報データベース１が蓄積または生成する情報と、表示情報データベース２が蓄積するパラメータの候補（表示情報）を受信装置（ＰＤＡ１０２）に送信する送信部３を備える。また、受信装置（ＰＤＡ１０２）において、送信装置（サーバ計算機１０１）から送信された配信情報とパラメータの候補（表示情報）を受信する受信部４と、受信部４が受信するパラメータの候補（表示情報）の中から受信装置（ＰＤＡ１０２）の種類や配信情報の閲覧条件などに基づいてパラメータを選択する選択部５と、選択部５が選択するパラメータを記憶するメモリ６と、受信部４が受信する配信情報をメモリ６が記憶するパラメータによって定められる方法で利用者に提示する情報表示部７を備えたことにより、送信装置（サーバ計算機１０１）における情報の表示負荷を抑え、またブロードキャスト型の情報配信システム１０００においても、受信装置（ＰＤＡ１０２）の種類や配信情報の閲覧状況などに応じた情報提示が可能となるという効果がある。
【００３５】
実施の形態２．
次に、実施の形態２について説明する。
図１４は、この発明の実施の形態２による情報配信システム１０００の構成を示す図である。
この情報配信システム１０００は、送信装置に相当するサーバ計算機１０１と、受信装置に相当するＰＤＡ１０２から構成され、実施の形態１と同様に、サーバ計算機１０１からＰＤＡ１０２へ配信情報を送信するシステムである。
サーバ計算機１０１は配信情報データベース１と表示条件データベース１０と送信部３から構成され、ＰＤＡ１０２は受信部４と条件取得部１１と特性取得部１２と算出部１３と情報表示部７とメモリ６から構成されている。
ＰＤＡ１０２は、ディスプレイ８、押しボタン９、キーボード１４を備えている。
【００３６】
配信情報データベース１には、配信対象の情報（配信情報）が蓄積される。表示条件データベース１０には、配信情報を表示する複数の表示条件が蓄積される。本実施の形態では、複数の表示条件として、ＰＤＡ１０２で用いるパラメータを決定する数式の候補を複数蓄積する。
送信部３は、配信情報データベース１と表示条件データベース１０の内容をＰＤＡ１０２へ送信する送信サブシステムである。
受信部４は、サーバ計算機１０１から送信されたデータを受信する受信サブシステムである。
条件取得部１１は、受信部４が受信した複数の表示条件から、受信した配信情報を表示する条件として任意の表示条件を取得する部である。本実施の形態では、具体的には、条件取得部１１は受信部４が受信した数式の候補の中から、押しボタン９を用いてを選択する。
特性取得部１２は、配信情報の表示環境を示す特性情報を取得する部であり、具体的には、利用者によるキーボード１４の操作から、利用者に関する特性であるユーザ特性と受信装置（ＰＤＡ１０２）に関する特性である機器特性と受信装置（ＰＤＡ１０２）の使用環境に関する特性である環境特性のうち、少なくともいずれかを取得する。
【００３７】
算出部１３は、特性取得部１２が取得した特性情報と条件取得部１１が取得した表示条件とから配信情報を表示するための表示情報を算出する。具体的には、条件取得部１１が取得する数式と特性取得部１２が取得する特性からパラメータを算出する。
メモリ６は、算出部１３によって算出されたパラメータを記憶する。
情報表示部７は、算出部１３によって算出された表示情報にしたがって、受信した配信情報を表示する。具体的には、メモリ６に記憶されたパラメータで定められる方法によって、受信部４が受信した配信情報をディスプレイ８に表示する。
【００３８】
条件取得部１１と特性取得部１２と算出部１３と情報表示部７とは、例えば、各々の動作内容を記述したプログラムを実行することによって各動作を行うことができる。
【００３９】
はじめに、説明に使用する配信対象の情報（配信情報）と数式（表示条件）、および受信装置（ＰＤＡ１０２）において用いるパラメータ（表示情報）の例について説明する。
配信対象の情報として、実施の形態１の説明で用いた図２の地図の例を想定する。パラメータについても実施の形態１の場合と同じ、道路色２０、文字サイズ２１、縮尺２２を想定する。
【００４０】
図１５は、ＰＤＡ１０２において用いられるパラメータを算出する数式の候補の例である。図１５では、数式の候補として表示条件Ａ〜表示条件Ｃが例示されている。各表示条件は、表示条件を識別する識別情報である数式候補名２８と各パラメータ（道路色２０と文字サイズ２１と縮尺２２）を算出するための数式に関する情報を持つ。
ここでは例えば、屋内でパソコンを使用して図２の地図を見るとき（数式候補名２８）、利用者の年齢に「４４」を加えた数値を道路色２０、利用者の視力の逆数に「１０」を加えた数値を文字サイズ２１、「１０」を利用者の視力で割った値を年齢と「２８０」を加えた値から減じた数値を縮尺２２に定めると適切な表示が行えることがわかっているものとする。
【００４１】
以下、本発明の実施の形態２の動作について、図１６を用いて説明する。
図１６は、本実施の形態の情報配信システム１０００の動作を示すフローチャートである。
なお、サーバ計算機１０１の配信情報データベース１には、前述の通り、図２に例示した地図情報が記憶されている。また、表示条件データベース１０には、図１５に例示した数式の候補が記憶されている。
【００４２】
まず、送信部３は、配信情報データベース１に記憶されている地図情報と、表示条件データベース１０に記憶されている数式の候補を、ＰＤＡ１０２へ送信する（Ｓ３０）。
ＰＤＡ１０２の受信部４は、サーバ計算機１０１から送られてきたデータ（地図情報と数式の候補）を受信する（Ｓ４０）。
条件取得部１１は、受信部４が受信した数式の候補を１つずつ順次ディスプレイ８に表示する。さらに、条件取得部１１は、利用者による押しボタン９の操作に基づいて、１つの数式を選択する（Ｓ４１）。ここで、例えば、ＰＤＡ１０２を屋外で使用する場合を想定している場合、「ＰＤＡ／屋外」の数式が選択される。
特性取得部１２は、利用者によってキーボード１４を用いて入力された、自身の年齢と視力を取得する（Ｓ４２）。ここで、利用者が例えば特性として年齢を「６０」、視力を「０．８」と入力したものとする。
【００４３】
算出部１３は、条件取得部１１によって取得された数式と、特性取得部１２によって取得された特性に基づいて、道路色２０と文字サイズ２１と縮尺２２のパラメータを算出し（Ｓ４３）、メモリ６に記憶させる（Ｓ４４）。このとき、メモリ６に記憶させるパラメータは（２０７，１１，２７８）となる。
最後に、情報表示部７は、受信部４が受信した地図情報を、メモリ６の記憶内容（パラメータ）に従って、道路色２０を「２０７」、文字サイズ２１を「１１」ポイント、縮尺２２を「２７８」メートルでディスプレイ８に表示する。
ディスプレイ８に表示された地図を図１７に示す。
【００４４】
本実施の形態に係る情報配信システム１０００によれば、送信装置（サーバ計算機１０１）において配信対象である情報（配信情報）を蓄積または生成する配信情報データベース１と、受信装置（ＰＤＡ１０２）で用いる数式の候補を蓄積する表示条件データベース１０と、配信情報データベース１が蓄積または生成する配信情報と、表示条件データベース１０に蓄えられている関数の候補（表示条件）を受信装置（ＰＤＡ１０２）に送信する送信部３を備え、受信装置（ＰＤＡ１０２）において送信装置（サーバ計算機１０１）から送信された配信情報と数式の候補（表示条件）を受信する受信部４と、受信部４が受信する数式の候補（表示条件）の中から数式を選択する条件取得部１１と、受信装置（ＰＤＡ１０２）および／または利用者および／または使用環境の特性、すなわち、特性情報を取得する特性取得部１２と、条件取得部１１が取得した数式（表示条件）と特性取得部１２が取得した特性情報に基づいてパラメータ（表示情報）を算出して記憶するメモリ６と、受信装置（ＰＤＡ１０２）が受信する配信情報を、メモリ６が記憶するパラメータ（表示情報）によって定められる方法で利用者に提示する情報表示部７を備えたことにより、送信装置（サーバ計算機１０１）における情報の表示負荷を抑え、またブロードキャスト型の情報配信システムにおいても、受信装置（ＰＤＡ１０２）の種類や配信情報の閲覧状況などに応じた情報提示が可能となるという効果がある。
【００４５】
実施の形態３．
以下、前述の実施の形態１および実施の形態２の変形について述べる。
【００４６】
実施の形態１においては、配信対象の情報を配信情報データベース１に蓄積しておいたが、図１８に示すように、サーバ計算機１０１に接続したカメラ１５と情報入力部１６を使用して配信情報を取得してもよい。
また、実施の形態２においても同様に、カメラ１５および情報入力部１６によって配信情報を取得してもよい。
ここで、情報入力部１６による配信情報の入力は、具体的には、キャプチャプログラムによって実施してもよい。また、カメラ１５は、撮影可能な携帯電話などの機器などであってもよい。
【００４７】
また、実施の形態１においては、配信対象の情報を配信情報データベース１に蓄積しておいたが、図１９に示すように、情報生成部１７が配信情報を生成することにより実施してもよい。また、実施の形態２においても同様に、配信情報の取得を情報生成部１７によって実施してもよい。
ここで、情報生成部１７による配信情報の生成は、サーバ計算機１０１において実行されるコンピュータグラフィックスプログラムによって実施してもよい。
【００４８】
また、実施の形態２では、数式を受信装置（ＰＤＡ１０２）の種類と使用環境によって選択し、利用者の特性を取得するように実施したが、これらは他の組み合わせであってもよい。例えば、利用者の特性と使用環境によって数式を選択し、受信装置の種類を特性として取得するように実施してもよい。また、利用者の特性としてその他のもの、例えば性別や職業などを取得してもよい。
【００４９】
また、実施の形態１では、利用者による押しボタン９の操作に基づいてパラメータの選択を行うように実施したが、その他の入力デバイス、例えばキーボードなど用いて実施してもよい。また同様に、実施の形態２における数式の選択を押しボタン以外の入力デバイスによって実施してもよい。さらに、実施の形態２では、キーボード１４を用いて特性（利用者の年齢と視力）を取得していたが、他の方法、例えばマウスなどのポインティングデバイスや音声入力デバイスを用いて実施してもよい。
【００５０】
また、実施の形態１では、利用者による押しボタン９の操作に基づいてパラメータの選択を行うように実施したが、図２０に示すように受信装置（ＰＤＡ１０２）にセンサ１８を備え、センサ１８からの情報に基づいて選択部５がパラメータを選択するように実施してもよい。例えば、センサ１８として光センサを用いれば、昼間か夜間かの使用環境を判断して、パラメータの選択または絞り込みを行うことができる。
また同様に、図２１に示すように、実施の形態２において、条件取得部１１は、数式の選択をセンサ１８からの情報に基づいて取得するように実施してもよい。
さらに、実施の形態２では、特性取得部１２は、利用者によるキーボード１４の入力に基づいて特性の取得を行っていたが、センサ１８から特性の一部または全部を入力するように実施してもよい。例えば、使用環境における照度を変数とする数式がパラメータの算出に用いられる場合、光センサをセンサ１８として備えることによって、特性取得部１２は特性（この場合は使用環境における照度）を取得することができる。
【００５１】
また、実施の形態１では、利用者による押しボタン９の操作に基づいてパラメータの選択を行うように実施したが、図２２に示すように受信装置（ＰＤＡ１０２）にパラメータ選択条件メモリ１９を備え、このパラメータ選択条件メモリ１９の記憶内容に基づいてパラメータを選択するように実施してもよい。例えば、パラメータ選択条件メモリ１９に受信装置（ＰＤＡ１０２）の種別を記憶させておけば、受信装置（ＰＤＡ１０２）の種別によるパラメータの選択または絞り込みを行うことができる。
また同様に、図２３に示すように、実施の形態２における数式の選択をパラメータ選択条件メモリ１９の記憶内容に基づいて行うように実施してもよい。
さらに、実施の形態２では、利用者によるキーボード１４の入力に基づいて特性の取得を行っていたが、パラメータ選択条件メモリ１９の記憶内容に基づいて特性の一部または全部を入力するように実施してもよい。例えば、パラメータ選択条件メモリ１９に受信装置（ＰＤＡ１０２）の種別が記憶されており、かつ受信装置（ＰＤＡ１０２）の種別を変数とする数式がパラメータの算出に用いられる場合、特性取得部１２はパラメータ選択条件メモリ１９から特性を取得して算出部１３に渡すことができる。
【００５２】
また、実施の形態１では、利用者による押しボタン９の操作に基づいてパラメータの選択を行うように実施したが、図２４に示すように受信装置（ＰＤＡ１０２）に利用者情報データベース３０と利用者ＩＤ入力デバイス３１を備え、利用者ＩＤ入力デバイス３１に入力された利用者ＩＤを用いて利用者情報データベース３０に予め記憶されている利用者の情報を検索し、この情報に基づいて選択部５がパラメータを選択するように実施してもよい。例えば、利用者の名前と年齢を利用者情報データベース３０に予め記憶させておき、利用者ＩＤ入力デバイス３１に利用者の名前を入力できるようにすることにより、選択部５は年齢に基づくパラメータの選択または絞り込みを行うことができる。
また同様に、図２５に示すように、実施の形態２における数式の選択を利用者ＩＤの入力とそれによって検索される利用者情報に基づいて実施してもよい。さらに、実施の形態２では、利用者によるキーボード１４の入力に基づいて特性の取得を行っていたが、利用者ＩＤに入力とそれによって検索される利用者情報に基づいて、特性の一部または全部を入力するように実施してもよい。例えば、利用者情報データベース３０に利用者の名前と年齢と視力が入力されていれば、利用者の名前を利用者ＩＤ入力デバイス３１に入力することによって、特性取得部１２は特性を算出部１３に渡すことができる。
【００５３】
また、実施の形態１では、利用者による押しボタン９の操作に基づいてパラメータの選択を行うように実施したが、図２６に示すように受信装置（ＰＤＡ１０２）に利用者情報読み取りデバイス３２を備え、ここで読み取られる利用者情報に基づいてパラメータを選択するように実施してもよい。例えば、利用者は自身の利用者情報として年齢を記憶するデバイスを携帯しており、利用者情報読み取りデバイス３２がこのデバイスの情報を読み取るようにすれば、選択部５は、それに基づいてパラメータの選択または絞り込みを行うことができる。
また同様に、図２７に示すように、実施の形態２における数式の選択を、読み取られる利用者情報の記憶内容に基づいて行うように実施してもよい。
さらに、実施の形態２では、利用者によるキーボード１４の入力に基づいて特性の取得を行っていたが、読み取られる利用者情報に基づいて特性の一部または全部を入力するように実施してもよい。例えば、利用者の携帯するデバイスに年齢と視力が記憶されていれば、特性取得部１２は利用者情報読み取りデバイス３２を経由して特性を取得し、算出部１３に渡すことができる。
【００５４】
上述のすべての実施の形態では、配信情報の例として地図を用いて説明したが、他の情報、例えば動画やＨＴＭＬコンテンツやカーナビゲーションなどを配信対象とすることができる。
【００５５】
また、上述のすべての実施の形態では、道路色、文字サイズ、縮尺をパラメータ（表示情報）として説明したが、他の要因、例えばコントラスト、カラーバランス、白黒反転、音質、音量、音声周波数特性、画像周波数特性、再生速度などをパラメータとすることができる。
【００５６】
以上に説明した実施の形態に記載した配信情報データベース１、表示情報データベース２、利用者情報データベース３０は、各々、配信情報記憶部、表示情報記憶部、利用者情報記憶部の一例である。すなわち、上記の各記憶部は、特定の構造を保持するデータベースに限られず、単なるデータを記憶する記憶領域であればよい。
【００５７】
図２８は、サーバ計算機１０１及びＰＤＡ１０２のコンピュータ基本構成図である。
図２８において、プログラムを実行するＣＰＵ４０は、バス３８を介してディスプレイ８、キーボード１４、マウス４３、通信ポート４４、磁気ディスク装置４６等と接続されている。
磁気ディスク装置４６には、ＯＳ４７、プログラム群４９、ファイル群５０が記憶されている。ただし、プログラム群４９、ファイル群５０が一体となってオブジェクト指向のプログラム群４９を形成する形態も一実施の形態として考えられる。
プログラム群４９は、ＣＰＵ４０、ＯＳ４７により実行される。したがって、選択部５、情報表示部７、条件取得部１１、特性取得部１２、算出部１３、情報入力部１６、情報生成部１７の動作をプログラミングした各プログラムをプログラム群４９に記憶し、ＣＰＵ４０、ＯＳ４７にて実行させることにより、上述した各部の動作が実行される。
上記各実施の形態では、サーバ計算機１０１からの配信情報は、通信ポート４４の機能を使用してＰＤＡ１０２に配信される。
【００５８】
すべての実施の形態では、各構成要素の各動作はお互いに関連しており、各構成要素の動作は、上記に示された動作の関連を考慮しながら、一連の動作として置き換えることができる。そして、このように置き換えることにより、方法の発明の実施形態とすることができる。
また、上記各構成要素の動作を、各構成要素の処理と置き換えることにより、プログラムの実施の形態とすることができる。
また、プログラムを、プログラムを記録したコンピュータ読み取り可能な記録媒体に記憶させることで、プログラムに記録したコンピュータ読み取り可能な記録媒体の実施の形態とすることができる。
【００５９】
プログラムの実施の形態及びプログラムに記録したコンピュータ読み取り可能な記録媒体の実施の形態は、すべてコンピュータで動作可能なプログラムにより構成することができる。
プログラムの実施の形態およびプログラムを記録したコンピュータ読み取り可能な記録媒体の実施の形態における各処理はプログラムで実行されるが、このプログラムは、記録装置に記録されていて、記録装置から中央処理装置（ＣＰＵ）に読み込まれ、中央処理装置によって、各プログラムが実行されることになる。
また、各実施の形態のソフトウェアやプログラムは、ＲＯＭ（ＲＥＡＤ  ＯＮＬＹ  ＭＥＭＯＲＹ）に記憶されたファームウェアで実現されていても構わない。あるいは、ソフトウェアとファームウェアとハードウェアとの組み合わせで前述したプログラムの各機能を実現しても構わない。
【００６０】
【発明の効果】
以上のように、この発明の情報配信システムによれば、送信装置における情報の表示負荷を抑え、またブロードキャスト型の情報配信システムにおいても、受信装置の種類や情報の閲覧状況などに応じた情報提示が可能となるという効果がある。
【００６１】
また、この発明の情報配信システムによれば、送信装置における情報の表示負荷を抑え、またブロードキャスト型の情報配信システムにおいても、受信装置の種類や情報の閲覧状況などに応じた情報提示が可能となるという効果がある。
【図面の簡単な説明】
【図１】実施の形態１による情報配信システムの構成図である。
【図２】配信対象情報の一例として地図を示した図である。
【図３】パラメータの候補を例示する図である。
【図４】実施の形態１の情報配信システム１０００の動作を示すフローチャートである。
【図５】ディスプレイ８に表示された地図の一例である。
【図６】パラメータを算出する方法の一例を示すフローチャートである。
【図７】情報ソースの一例（地図Ａ）を示した図である。
【図８】情報ソースの一例（地図Ｂ）を示した図である。
【図９】評価目標値Ｑの一例を示した図である。
【図１０】パラメータサンプルＰの一例を示した図である。
【図１１】評価の測定結果を示した図である。
【図１２】重回帰分析結果を示した図である。
【図１３】パラメータを算出した結果求められたパラメータを示した図である。
【図１４】実施の形態２による情報配信システムの構成図である。
【図１５】パラメータを算出する数式の候補の例である。
【図１６】実施の形態２の情報配信システム１０００の動作を示すフローチャートである。
【図１７】ディスプレイ８に表示された地図の一例である。
【図１８】サーバ計算機１０１の他の構成図である。
【図１９】サーバ計算機１０１の他の構成図である。
【図２０】ＰＤＡ１０２の他の構成図である。
【図２１】ＰＤＡ１０２の他の構成図である。
【図２２】ＰＤＡ１０２の他の構成図である。
【図２３】ＰＤＡ１０２の他の構成図である。
【図２４】ＰＤＡ１０２の他の構成図である。
【図２５】ＰＤＡ１０２の他の構成図である。
【図２６】ＰＤＡ１０２の他の構成図である。
【図２７】ＰＤＡ１０２の他の構成図である。
【図２８】サーバ計算機１０１及びＰＤＡ１０２のコンピュータ基本構成図である。
【符号の説明】
１  配信情報データベース、２  表示情報データベース、３  送信部、４  受信部、５  選択部、６  メモリ、７  情報表示部、８  ディスプレイ、９  押しボタン、１０  表示条件データベース、１１  条件取得部、１２  特性取得部、１３  算出部、１４  キーボード、１５  カメラ、１６  情報入力部、１７  情報生成部、１８  センサ、１９  パラメータ選択条件メモリ、２０  道路色、２１  文字サイズ、２２  縮尺、２３  パラメータ候補名、２５ａ，２５ｂ  位置特定時間、２６ａ，２６ｂ  到達所要時間、２８  数式候補名、３０  利用者情報データベース、３１  利用者ＩＤ入力デバイス、３２  利用者情報読み取りデバイス、３８  バス、４０  ＣＰＵ、４３  マウス、４４  通信ポート、４６  磁気ディスク装置、４７  ＯＳ、４９  プログラム群、５０  ファイル群、１０１  サーバ計算機、１０２  ＰＤＡ、１０００  情報配信システム。
【図１】
2004362021.tif 000005
【図２】
2004362021.tif 000006
【図３】
2004362021.tif 000007
【図４】
2004362021.tif 000008
【図５】
2004362021.tif 000009
【図６】
2004362021.tif 000010
【図７】
2004362021.tif 000011
【図８】
2004362021.tif 000012
【図９】
2004362021.tif 000013
【図１０】
2004362021.tif 000014
【図１１】
2004362021.tif 000015
【図１２】
2004362021.tif 000016
【図１３】
2004362021.tif 000017
【図１４】
2004362021.tif 000018
【図１５】
2004362021.tif 000019
【図１６】
2004362021.tif 000020
【図１７】
2004362021.tif 000021
【図１８】
2004362021.tif 000022
【図１９】
2004362021.tif 000023
【図２０】
2004362021.tif 000024
【図２１】
2004362021.tif 000025
【図２２】
2004362021.tif 000026
【図２３】
2004362021.tif 000027
【図２４】
2004362021.tif 000028
【図２５】
2004362021.tif 000029
【図２６】
2004362021.tif 000030
【図２７】
2004362021.tif 000031
【図２８】
2004362021.tif 000032